(57)【要約】  【課題】商品の陳列時などの必要なときにのみ、吊り下げ部を出し、不要なときには邪魔にならないようにすることができ、この吊り下げ部の出し入れ作業が簡単にでき、商品が重い場合にも吊り下げ板の変形や破損が発生しにくい包装用箱を提供する。  【解決手段】本発明の包装用箱１は、吊り下げ部１１に突出部３３ａを設け、背面部２３に設けられた挿入用切れ目５４から吊り下げ部１１を挿入する。そして、吊り下げ時には突出部３３ａを背面部２３の内側となるようにし、挿入用切れ目５４の上端に引っ掛かるようにし、吊り下げ部１１が接続する正面部２２だけでなく、背面部２３側にかかる荷重を受けることができ、確実に吊り下げることができる。【選択図】図２
2007161268.tif 000002
【特許請求の範囲】
【請求項１】
商品を収納することができる収納空間が形成される本体部と、本体部の上側に配置される吊り下げ部とを有し、
本体部には収納空間を挟む１対の面である第１の面と第２の面とが設けられ、第１の面の上辺側に吊り下げ部が接続しており、第２の面には挿入用切れ目が設けられ、挿入用切れ目は上側に端部が形成されるものであり、
吊り下げ部には吊り下げを行う部分である吊り下げ板と、本体部との接続部分とは反対側に位置して吊り下げ板よりも幅方向に突出する突出部が設けられ、
吊り下げ部を挿入用切れ目の外側から挿入させ、突出部を挿入用切れ目に進入させて、突出部が挿入用切れ目の上側の端部に引っ掛かるようにして、第２の面側にかかる荷重を受けることが可能となることを特徴とする包装用箱。
【請求項２】
商品を収納することができる収納空間が形成される本体部と、本体部の上側に配置される吊り下げ部とを有し、
本体部には収納空間を挟む１対の面である第１の面と第２の面とが設けられ、第１の面の上辺側に吊り下げ部が接続しており、第２の面には挿入用切れ目が設けられており、前記挿入用切れ目によって第２の面には下側に延びる舌片部が形成され、
吊り下げ部には吊り下げを行う部分である吊り下げ板と、本体部との接続部分とは反対側に位置して吊り下げ板よりも幅が広い拡幅部が設けられ、
吊り下げ部を挿入用切れ目の外側から挿入させ、拡幅部を挿入用切れ目に進入させて、舌片部が拡幅部よりも内側となり、拡幅部の幅方向に突出する突出部が本体部の第２の面よりも内側となるようにして、吊り下げを行う際に、拡幅部によって第２の面側にかかる荷重を受けることが可能となることを特徴とする包装用箱。
【請求項３】
挿入用切れ目は、横方向に延びる第１切れ目と、第１切れ目の端部でつながるものであって第１切れ目から上方に向かって延びる第２切れ目とを有するものであることを特徴とする請求項１又は２に記載の包装用箱。
【請求項４】
挿入用切れ目には、第１切れ目及び第２切れ目の少なくともいずれかとつながるものであって突出部の突出方向に延びる第３切れ目が設けられていることを特徴とする請求項３に記載の包装用箱。
【請求項５】
第３切れ目は、第１切れ目と第２切れ目との交点から分岐して、下向きであって突出部の突出方向に向いて傾斜して延びるものであることを特徴とする請求項４に記載の包装用箱。
【請求項６】
第２の面の上辺側には折り目を有し、当該折り目を介して第３の面が形成されるものであり、第３の面は第１の面と第２の面との間の蓋となるものであり、挿入用切れ目は、第２の面と第３の面との間の折り目と交差するものであることを特徴とする請求項１〜５のいずれかに記載の包装用箱。
【請求項７】
吊り下げ板には、折り目でつながっている第１吊り下げ板及び第２吊り下げ板が設けられ、第１吊り下げ板は第１の面の上辺側とつながっており、第２吊り下げ板は拡幅部とつながっており、第１吊り下げ板の長さは第１の面と第２の面との間隔に合わせられていることを特徴とする請求項１〜６のいずれかに記載の包装用箱。
【請求項８】
吊り下げ板には貫通孔が形成されていることを特徴とする請求項１〜７のいずれかに記載の包装用箱。
【請求項９】
商品を収納することができる収納空間が形成される本体部と、本体部の上側に配置される吊り下げ部とを有し、
本体部には収納空間を挟む１対の面である第１の面と第２の面とが設けられ、第１の面の上辺側に吊り下げ部が接続しており、第２の面には挿入用切れ目又は挿入用開口が設けられ、第２の面の上辺側には折り目が形成されており
吊り下げ部には吊り下げを行う部分である吊り下げ板と、本体部との接続部分とは反対側に位置して吊り下げ板よりも幅方向に突出する突出部が設けられ、
吊り下げ部を挿入口切れ目又は挿入用開口の外側から挿入させ、突出部が第２の面の上辺側の折り目の内側に当接して、第２の面側にかかる荷重を受けることが可能となることを特徴とする包装用箱。
【発明の詳細な説明】
【技術分野】
【０００１】
本発明は、商品を収納することにより、商品の包装が可能な包装用箱に関するものである。
【背景技術】
【０００２】
従来より、商品を効率よく陳列するために、店頭に横方向に延びる棒を設置し、商品が包装される包装用箱に孔などの吊り下げ可能な部分を設けて、前記の設置された棒に吊り下げる方法が用いられている。
このような陳列方法では、商品を吊した状態で前後方向に重ねることができるので、陳列しやすく、商品を購入するためなどに取る場合には、商品を手前方向に移動させればよく、一般に行われる方法である。
【０００３】
上記のような陳列方法に用いられる包装用箱には、吊り下げるための孔などが必要となる。そして、このような孔などの形成される位置が、商品が収納される部分に設けられると、商品の陳列時に商品と棒とが接触したりする。そのため、通常、商品が収納される部分とは別に張り出している吊り下げ板を形成し、この吊り下げ板に吊り下げ用の孔などを形成している。
【０００４】
この吊り下げ板は、商品を運搬する場合や保管する場合などには邪魔になるので、必要な場合以外には、折り畳んだり、収納するなどして、邪魔にならないようにすることが望ましい。
【０００５】
そして、特許文献１、２には、商品の陳列時などの必要なときにのみ、吊り下げ板を張り出すようにして、不要なときには邪魔にならないようにして、吊り下げ板の出し入れを行うことができる包装用箱が開示されている。
【特許文献１】特開平５−２５４５３９号公報
【特許文献２】実開平７−３７９２２号公報
【発明の開示】
【発明が解決しようとする課題】
【０００６】
この吊り下げ板の出し入れの作業が行いにくいと、陳列作業に時間がかかるので、できるだけ簡単に行えるようにすることが望ましい。また、商品が重い場合には、吊り下げ板により大きな力が作用するので、かかる場合に、吊り下げ板の変形や破損の起こりにくいものが望ましい。
【０００７】
そこで、本発明は、吊り下げ板の出し入れ作業が簡単にでき、商品が重い場合にも吊り下げ板の変形や破損が発生しにくい包装用箱を提供することを課題とする。
【課題を解決するための手段】
【０００８】
上記した目的を達成するための請求項１に記載の発明は、商品を収納することができる収納空間が形成される本体部と、本体部の上側に配置される吊り下げ部とを有し、本体部には収納空間を挟む１対の面である第１の面と第２の面とが設けられ、第１の面の上辺側に吊り下げ部が接続しており、第２の面には挿入用切れ目が設けられ、挿入用切れ目は上側に端部が形成されるものであり、吊り下げ部には吊り下げを行う部分である吊り下げ板と、本体部との接続部分とは反対側に位置して吊り下げ板よりも幅方向に突出する突出部が設けられ、吊り下げ部を挿入用切れ目の外側から挿入させ、突出部を挿入用切れ目に進入させて、突出部が挿入用切れ目の上側の端部に引っ掛かるようにして、第２の面側にかかる荷重を受けることが可能となることを特徴とする包装用箱である。
【０００９】
請求項１に記載の発明によれば、本体部の第１の面の上辺側に吊り下げ部が接続しており、収納空間を挟んだ第２の面には挿入用切れ目が設けられ、挿入用切れ目は上側に端部が形成されるものであり、吊り下げ部には吊り下げを行う部分である吊り下げ板と、本体部との接続部分とは反対側に位置して吊り下げ板よりも幅方向に突出する突出部が設けられ、突出部が挿入用切れ目の上側の端部に引っ掛かるようにして、第２の面側にかかる荷重を受けることが可能となるものであるので、簡単な構造で吊り下げ板の出し入れ作業が簡単にでき、商品が重い場合にも吊り下げ板の変形や破損を発生しにくくすることができる。
【００１０】
請求項２に記載の発明は、商品を収納することができる収納空間が形成される本体部と、本体部の上側に配置される吊り下げ部とを有し、本体部には収納空間を挟む１対の面である第１の面と第２の面とが設けられ、第１の面の上辺側に吊り下げ部が接続しており、第２の面には挿入用切れ目が設けられており、前記挿入用切れ目によって第２の面には下側に延びる舌片部が形成され、吊り下げ部には吊り下げを行う部分である吊り下げ板と、本体部との接続部分とは反対側に位置して吊り下げ板よりも幅が広い拡幅部が設けられ、吊り下げ部を挿入用切れ目の外側から挿入させ、拡幅部を挿入用切れ目に進入させて、舌片部が拡幅部よりも内側となり、拡幅部の幅方向に突出する突出部が本体部の第２の面よりも内側となるようにして、吊り下げを行う際に、拡幅部によって第２の面側にかかる荷重を受けることが可能となることを特徴とする包装用箱である。
【００１１】
請求項２に記載の発明によれば、本体部の第１の面の上辺側に吊り下げ部が接続しており、収納空間を挟んだ第２の面には挿入用切れ目が設けられ、前記挿入用切れ目によって第２の面には下側に延びる舌片部が形成され、吊り下げ部には吊り下げを行う部分である吊り下げ板と、本体部との接続部分とは反対側に位置して吊り下げ板よりも幅が広い拡幅部が設けられ、拡幅部の幅方向に突出する突出部が本体部の第２の面よりも内側となるようにして、吊り下げを行う際に、拡幅部によって第２の面側にかかる荷重を受けることが可能となるものであるので、簡単な構造で吊り下げ板の出し入れ作業が簡単にでき、商品が重い場合にも吊り下げ板の変形や破損を発生しにくくすることができる。
【００１２】
請求項３に記載の発明は、挿入用切れ目は、横方向に延びる第１切れ目と、第１切れ目の端部でつながるものであって第１切れ目から上方に向かって延びる第２切れ目とを有するものであることを特徴とする請求項１又は２に記載の包装用箱である。
【００１３】
請求項３に記載の発明によれば、挿入用切れ目は、横方向に延びる第１切れ目と、第１切れ目の端部でつながるものであって第１切れ目から上方に向かって延びる第２切れ目とを有するものであるので、切れ目の形成を容易に行うことができる。
【００１４】
請求項４に記載の発明は、挿入用切れ目には、第１切れ目及び第２切れ目の少なくともいずれかとつながるものであって突出部の突出方向に延びる第３切れ目が設けられていることを特徴とする請求項３に記載の包装用箱である。
【００１５】
請求項４に記載の発明によれば、挿入用切れ目には、第１切れ目及び第２切れ目の少なくともいずれかとつながるものであって突出部の突出方向に延びる第３切れ目が設けられているので、挿入用切れ目に吊り下げ部を挿入しやすくすることができる。
【００１６】
請求項５に記載の発明は、第３切れ目は、第１切れ目と第２切れ目との交点から分岐して、下向きであって突出部の突出方向に向いて傾斜して延びるものであることを特徴とする請求項４に記載の包装用箱である。
【００１７】
請求項５に記載の発明によれば、第３切れ目は、第１切れ目と第２切れ目との交点から分岐して、下向きであって突出部の突出方向に向いて傾斜して延びるものであるので、挿入用切れ目に吊り下げ部を挿入しやすくしながら、挿入された後には吊り下げ部が抜けにくい。
【００１８】
請求項６に記載の発明は、第２の面の上辺側には折り目を有し、当該折り目を介して第３の面が形成されるものであり、第３の面は第１の面と第２の面との間の蓋となるものであり、挿入用切れ目は、第２の面と第３の面との間の折り目と交差するものであることを特徴とする請求項１〜５のいずれかに記載の包装用箱である。
【００１９】
請求項６に記載の発明によれば、第２の面の上辺側には折り目を有し、当該折り目を介して第３の面が形成されるものであり、第３の面は第１の面と第２の面との間の蓋となるものであり、挿入用切れ目は、第２の面と第３の面との間の折り目と交差するものであるので、蓋となる第３の面との折り目で、吊り下げ部の突出部が当接して荷重を受けることができるので、商品が重い場合であっても確実に吊り下げることができる。
【００２０】
請求項７に記載の発明は、吊り下げ板には、折り目でつながっている第１吊り下げ板及び第２吊り下げ板が設けられ、第１吊り下げ板は第１の面の上辺側とつながっており、第２吊り下げ板は拡幅部とつながっており、第１吊り下げ板の長さは第１の面と第２の面との間隔に合わせられていることを特徴とする請求項１〜６のいずれかに記載の包装用箱である。
【００２１】
請求項７に記載の発明によれば、第１吊り下げ板の長さは第１の面と第２の面との間隔に合わせられているので、吊り下げ部を入れた状態で、第１吊り下げ板と第２吊り下げ板との折り目が、第２の面の上辺に合うことになり、吊り下げ部が邪魔になりにくい。
【００２２】
請求項８に記載の発明は、吊り下げ板には貫通孔が形成されていることを特徴とする請求項１〜７のいずれかに記載の包装用箱である。
【００２３】
請求項８に記載の発明によれば、吊り下げ板には貫通孔が形成されているので、貫通孔を用いて確実に吊り下げを行うことができる。
【００２４】
また、請求項９に記載の包装用箱のように、挿入口切れ目又は挿入用開口から吊り下げ部を挿入し、突出部が第２の面の上辺側の折り目の内側に当接して、第２の面側にかかる荷重を受けるようにしてもよい。
【発明の効果】
【００２５】
本発明の包装用箱では、吊り下げ板の出し入れ作業が簡単にでき、商品が重い場合にも吊り下げ板の変形や破損を発生させにくくすることができる。
【発明を実施するための最良の形態】
【００２６】
以下さらに本発明の具体的実施例について説明する。
図１は、本発明の第１の実施形態における包装用箱の斜視図である。図２は、図１に示す包装用箱の吊り下げ部を引き出した状態を示した斜視図である。図３は、図１に示す包装用箱の上部の蓋をする前の状態示した斜視図である。図４は、図１の包装用箱を示す展開図である。図５は、図１に示す包装用箱を吊り下げた状態を示した説明図である。図６は、本発明の第２の実施形態における包装用箱の吊り下げ部付近を示した説明図である。図７は、本発明の第３の実施形態における包装用箱の吊り下げた状態を示した説明図である。図８は、吊り下げ部の変形例を示す一部正面図である。図９は、本発明の第４の実施形態における包装用箱の吊り下げ部付近を示した説明図である。
【００２７】
本発明の第１の実施形態における包装用箱１は、図１、図２に示されるように、直方体状の箱である。そして、図４に示されるようなシート５を用い、後述するように、シート５を折り曲げることにより包装用箱１が形成される。また、包装用箱１は上下方向が、横方向や厚み方向に対して長く、縦長の箱である。
【００２８】
包装用箱１には、本体部１０と吊り下げ部１１とが設けられている。
本体部１０は、商品を収納することができる収納空間２６を形成する部分であり、収納空間２６の大きさは、商品の大きさに合わせられている。なお、商品としては、例えば彫刻刀や文房具などであるが、どのような種類ものであってもよい。
【００２９】
本体部１０は、具体的には、上面部２０、下面部２１、正面部２２、背面部２３、右側面部２４、左側面部２５の６面を有し、これらの面によって内部に収納空間２６が形成されている。
正面部２２と背面部２３は収納空間２６を挟む一対の面であり、本実施形態では正面部２２が第１の面、背面部２３が第２の面となるものである。また、上面部２０は、正面部２２と背面部２３の上側の蓋となるものであり、第３の面となるものである。
【００３０】
本体部１０では、正面部２２、背面部２３、右側面部２４及び左側面部２５によって断面が長方形である筒状となっている。また、上面部２０及び下面部２１は、前記の筒状の部分の上下に位置して、それぞれ蓋として機能し、開閉可能となっている。
【００３１】
具体的には、図４に示すように、右側面部２４と正面部２２の間に折り目４１を有し、正面部２２と左側面部２５との間に折り目４２を有し、左側面部２５と背面部２３との間に折り目４３を有し、背面部２３と背面部２３につながる重なり部２８との間に折り目４４を有している。そして、各折り目４１、４２、４３、４４で同じ方向にほぼ垂直となるように折り曲げながら、右側面部２４の折り目４１とは反対の辺２４ａと、左側面部２５と背面部２３との間に折り目４４とが合致するようにして、右側面部２４と重なり部２８とを重ねて固定して形成されている。
【００３２】
また、背面部２３の上辺２３ａ側で上面部２０と接続しており、背面部２３と上面部２０との間に折り目４５を有しており、折り目４５での角度を変えることにより開閉することができる。そして、正面部２２と下面部２１との間に折り目４６を有しており、折り目４６での角度を変えることにより開閉することができる。
背面部２３の下側には、差込片６１が設けられており、商品などの重量によって下面部２１が開かないようにしている。
【００３３】
さらに、本体部１０には、差込片３６、フラップ３５が設けられている。差込片３６は、上面部２０や下面部２１と折り目４７、４８を介してつながっている部分であり、蓋を閉める際に、正面部２２や背面部２３の内側となるように折り込まれる。また、フラップ３５は、右側面部２４や左側面部２５の上下に配置しており、上面部２０や下面部２１による蓋が閉められた場合に、上面部２０や下面部２１の内側となるように折り込まれるものである。
【００３４】
背面部２３には、挿入用切れ目５４が形成されている。そして、吊り下げ部１１の第２吊り下げ板３１や拡幅部３３を、外側から内側に向かって挿入用切れ目５４に挿入することができる。
挿入用切れ目５４には第１切れ目５５、第２切れ目５６、第３切れ目５７が設けられており、これらの全てがつながっている。
【００３５】
図３に示されるように、第１の切れ目５５は横方向に延びるものであり、背面部２３と上面部２０との間の折り目４５のやや下側に位置している。そして、第１の切れ目５５の長さは第１吊り下げ板３０や第２吊り下げ板３１の幅にほぼ等しいかやや長いものであって、拡幅部３３の幅よりも短いものである。
【００３６】
第２の切れ目５６は、上下方向に延びるものであって２ヵ所に形成されている。そして、第２の切れ目５６の下端は第１切れ目５５の両端の位置Ｐ１、Ｐ２であり、また、第２切れ目５６の上端の位置Ｐ３、Ｐ４は折り目４５と交差している。
したがって、第１切れ目５５と第２切れ目５６とにより、コ字型となり、第１切れ目５５と第２切れ目５６とによって囲まれる部分によって舌片部６０を形成する。この舌片部６０は下側に延びるものであり、舌片部６０の根元部分に折り目４５が位置している。
そして、舌片部６０は、折り目４５において、舌片部６０以外の背面部２３の他の部分の折り曲げ状態によらず、独立して折り曲げることができ、舌片部６０と他の部分との間で、上面部２０との相対角度を異なったものとすることができる。
【００３７】
第３切れ目５７は、傾斜するものであって２ヵ所に形成されている。そして、第３切れ目５７の一端は、第１切れ目５５及び第２切れ目５６の交点であって端部である位置Ｐ１、Ｐ２である。また、第３切れ目５７はこの位置Ｐ１、Ｐ２から幅方向の外側であって下方に向かって傾斜するように位置Ｐ５、Ｐ６まで延びている。
【００３８】
２ヵ所の第３切れ目５７は互いに対象な位置関係であり、第３切れ目５７の下側の端部の位置Ｐ５、Ｐ６は、上下方向がほぼ同じ位置である。そして、位置Ｐ５と位置Ｐ６とを結んだ線は幅方向に平行となり、位置Ｐ５、Ｐ６の間が挿入用切れ目５４における幅方向の最大の間隔となる。この位置Ｐ５と位置Ｐ６の幅方向の距離は、吊り下げ部１１の拡幅部３３より長くなっており、拡幅部３３の挿入用切れ目５４の挿入を容易に行うことができる。
【００３９】
吊り下げ部１１は、本体部１０の上側に配置されるものであり、第１吊り下げ板３０、第２吊り下げ板３１及び拡幅部３３を有している。
第１吊り下げ板３０と第２吊り下げ板３１とは同じ外形であり、これらの幅や長さは同じである。また、第１吊り下げ板３０及び第２吊り下げ板３１の幅は、正面板２２や背面板２３よりも短い。そして、第１吊り下げ板３０と第２吊り下げ板３１の長さは、第１の面である正面板２２と、第２の面である背面板２３との間隔に合わせられている。
【００４０】
また、拡幅部３３は、第１吊り下げ板３０や第２吊り下げ板３１の幅より広く、幅方向の両側に突出する突出部３３ａが２ヵ所形成されている。そして、拡幅部３３の幅は、第１切れ目５５の両端の位置Ｐ１、Ｐ２の距離、すなわち第１切れ目５５の長さよりも長く、また、第３切れ目５７の下側の端部の位置Ｐ５、Ｐ６の距離、すなわち挿入用切れ目５４の幅方向の最大の間隔よりも短いものとなっている。
第１吊り下げ板３０、第２吊り下げ板３１にはそれぞれ貫通孔３０ａ、３１ａが形成されており、貫通孔３０ａ、３１ａを用いて吊り下げることができる。
【００４１】
吊り下げ部１１の第１吊り下げ板３０は、折り目５０を介して正面部２２の上辺２２ａ側でつながっている。また、第２吊り下げ板３１は第１吊り下げ板３０とつながっており、その位置は正面部２２とは反対側である。そして、第１吊り下げ板３０と第２吊り下げ板３１との間に折り目５１が設けられ、折り目５１を介してつながっている。また、第２吊り下げ板３１と拡幅部３３との間には折り目５２が設けられている。
折り目５０、５１、５２の方向は、互いに平行な関係となっている。
【００４２】
吊り下げ部１１は、第１吊り下げ板３０側で、正面部２２とつながっているが、その幅方向の位置は中央付近に位置している。そのため、吊り下げが行われる場合に、包装用箱１が傾きにくい。
【００４３】
包装用箱１は、厚紙などのシート状のものを、図４に示すような形状に裁断し、右側面部２４と重なり部２８とを固定して製作される。そして、内側に形成される収納空間２６に商品を収納し、上記した折り目４１、４２、４３、４４、４５、４６、５０、５１、５２で折り曲げ、差込片３６、フラップ３５を折り込みながら、上面部２０や下面部２１による蓋を閉じる。
【００４４】
そして、折り目５０、５１、５２を折り曲げて、吊り下げ部１１の拡幅部３３側を背面部２３側に設けられた挿入用切れ目５４に挿入する。
拡幅部３３の幅は、位置Ｐ５、Ｐ６の幅方向の距離より短いので、第１切れ目５５及び第３切れ目５７から挿入することにより、吊り下げ部１１の挿入作業を容易に行うことができる。
【００４５】
商品を運搬する場合や保管する場合には、拡幅部３３だけでなく、吊り下げ板３１も背面部２３の内側となるようにする。本実施形態の第１吊り下げ板３０の長さは、正面板２２と背面板２３との間隔に合わせられているので、吊り下げ部１１の折り目５１が、背面板２３の上辺（折り目４５）付近に位置することになり、吊り下げ部１１がほとんど飛びださない。そして、図１に示されるように、吊り下げ部１１が張り出さず、邪魔になることがなく商品の運搬や保管が行いやすい。
【００４６】
また、商品の陳列時など、包装用箱１を吊り下げる場合には、挿入された吊り下げ部１１を少し引き上げて、拡幅部３３の突出部３３ａが、挿入用切れ目５４の上側の端部（位置Ｐ３、Ｐ４）に引っ掛かるようにする。そうすると、拡幅部３３と第２吊り下げ板３１との間の折り目５２の位置が折り目４５の位置に合致し、突出部３３ａが背面部２３よりも内側に位置し、舌片部６０が拡幅部３３の内側となる。
【００４７】
そして、拡幅部３３の突出部３３ａの上側が折り目４５の内側で接触して当接する状態となり、拡幅部３３と背面部２３とは、これ以上移動不可となり、背面部２３側にかかる荷重を受けることが可能となる。
そうすると、吊り下げ部１１が本体部１０と接続する正面部２２側と背面部２３との厚み方向の両方で荷重を受けることができ、重い商品の場合にも破損や変形が無く、安定した吊り下げが可能となる。
【００４８】
この吊り下げ部１１の移動操作は、吊り下げ板３０、３１の押し引きによって簡単に行うことができる。特に、吊り下げ部１１を引き出す際には、舌片部６０付近を押しながら行うことにより、突出部３３ａを確実に第２切れ目５７に誘導することができる。
【００４９】
そして、図５に示されるように、第１吊り下げ板３０と第２吊り下げ板３１とが屋根状となり、第１吊り下げ板３０と第２吊り下げ板３１に設けられた貫通孔３０ａ、３１ａに棒９０を挿入して吊り下げが行われる。このとき、第１吊り下げ板３０、第２吊り下げ板３１及び上面部２０の長さがほぼ同じであるので、横から見ると正三角形状である。
また、棒９０には、複数の包装用箱１が吊り下げられ、複数の包装用箱１の陳列を行うことができる。
【００５０】
上記した実施形態の包装用箱１では、貫通孔３０ａ、３１ａに棒９０を挿入することにより吊り下げるものであったが、図６に示される包装用箱２のように、吊り下げ板３０、３１の幅方向の両側に張り出す部分である張り出し部８０を設けて、張り出し部８０の下側にそれぞれ棒９０を配置して吊り下げることができる。
【００５１】
さらに、図７に示される包装用箱３のように、貫通孔３０ａ、３１ａを形成せず、第１吊り下げ板３０及び第２吊り下げ板３１の下側に、棒９０を挿入して吊り下げることもできる。
【００５２】
また、上記した包装用箱１では、吊り下げ部１１には拡幅部３３が設けられ、拡幅部３３に幅方向に突出する突出部３３ａが形成されるものであったが、図８に示される吊り下げ部１１のように、突出部３３ａの間の部分が切り欠き状になっていてもよい。
そして、突出部３３ａは幅方向の外側に突出するものであったが、図９に示されるように、吊り下げ部１１の第２吊り下げ板３１を幅方向の外側に両側に配置し、突出部３３ａを内側に向くように突出させた包装用箱４を採用することができる。この場合、挿入用切れ目５４は、吊り下げ部１１の第２吊り下げ板３１の位置に合わせて形成される。
【００５３】
上記した実施形態における上面部２０（第３の面）は、背面部２３側に接続されるものであり、吊り下げ部１１とは反対に接続されるものであったが、上面部２０と吊り下げ部１１とが同じ側（例えば背面部２３）に接続されるものであってもよい。この場合、上面部２０は、吊り下げ部１１が設けられていない位置に接続する。
【００５４】
さらに、上記した実施形態では、吊り下げ部１１を背面部２３（第２の面）に設けられた挿入用切れ目５４から内側に挿入するものであったが、この挿入用切れ目５４の代わりに開口を用いて吊り下げ部１１を挿入してもよい。
例えば、上記した第１の実施形態における包装用箱１の舌片部６０の根元部分、すなわち、背面部２３ａの上辺２３ａであって折り目４５である部分を切断して舌片部６０を取り外し、舌片部６０が形成されていた部分に挿入用開口が形成されたものを用いることができる。
そして、この場合にも、吊り下げ部１１の突出部３３ａを背面部２３の内側に配置するように、挿入用開口から挿入することができ、突出部３３ａによって折り目４５の内側に当接して、背面部２３側の荷重を受けることが可能となる。
【図面の簡単な説明】
【００５５】
【図１】本発明の第１の実施形態における包装用箱の斜視図である。
【図２】図１に示す包装用箱の吊り下げ部を引き出した状態を示した斜視図である。
【図３】図１に示す包装用箱の上部の蓋をする前の状態示した斜視図である。
【図４】図１の包装用箱を示す展開図である。
【図５】図１に示す包装用箱を吊り下げた状態を示した説明図である。
【図６】本発明の第２の実施形態における包装用箱の吊り下げ部付近を示した説明図である。
【図７】本発明の第３の実施形態における包装用箱の吊り下げた状態を示した説明図である。
【図８】吊り下げ部の変形例を示す一部正面図である。
【図９】本発明の第４の実施形態における包装用箱の吊り下げ部付近を示した説明図である。
【符号の説明】
【００５６】
１、２、３、４  包装用箱
１０  本体部
１１  吊り下げ部
２０  上面部
２２  正面部
２３  背面部
３０  第１吊り下げ板
３１  第２吊り下げ板
３０ａ、３１ａ  貫通孔
３３  拡幅部
３３ａ  突出部
５４  挿入用切れ目
５５  第１切れ目
５６  第２切れ目
５７  第３切れ目
６０  舌片部
９０  棒
【図１】
2007161268.tif 000003
【図２】
2007161268.tif 000004
【図３】
2007161268.tif 000005
【図４】
2007161268.tif 000006
【図５】
2007161268.tif 000007
【図６】
2007161268.tif 000008
【図７】
2007161268.tif 000009
【図８】
2007161268.tif 000010
【図９】
2007161268.tif 000011